(57)【要約】【課題】  信頼性の高い、小型で、安価なインクジェット記録ヘッドを提供する。【解決手段】  液体吐出基板Ｈ1100の液体供給口Ｈ1102に対してフレキシブル配線基板Ｈ1300の液体供給口Ｈ1301を大きくし、さらに保持部材Ｈ1200の液体供給口Ｈ1201をフレキシブル配線基板Ｈ1300の液体供給穴Ｈ1301よりも大きくしてある。液体吐出基板Ｈ1100とフレキシブル配線部材Ｈ1300の間に接着剤または封止剤Ｈ1311が充填されている。保持部材Ｈ1200の液体供給口Ｈ1201から液体吐出基板Ｈ1100の液体供給口Ｈ1102まで連通する連通口はフレキシブル配線基板Ｈ1300の液体供給口Ｈ1301で規定されている。【選択図】  図７
2006056244.tif 000002
【特許請求の範囲】
【請求項１】
表面側に液体を吐出する吐出口を備え、裏面側に該吐出口から吐出させる液体を供給する液体供給口と前記吐出口から液体を吐出させるエネルギー発生手段を駆動する信号を授受する電極とを備えた液体吐出基板と、
前記液体吐出基板の裏面に接合され、前記液体吐出基板の液体供給口に連通する液体供給穴と前記電極に接続された電気接続部とを有するフィルム状の電気配線部材と、
前記電気配線部材を介して前記液体吐出基板を保持する部材であって前記液体吐出基板の液体供給口に液体を供給する液体供給口を有する保持部材と、を備え、
前記電気配線部材の液体供給穴と前記液体吐出基板の液体供給口と前記保持部材の液体供給口が互いに連通しており、前記電気配線部材の液体供給穴が前記保持部材の液体供給口より小さく、前記電気配線部材の液体供給穴の開口端が前記保持部材の液体供給口の開口より内側にあることを特徴とするインクジェット記録ヘッド。
【請求項２】
前記電気配線部材の液体供給穴が前記液体吐出基板の液体供給口より大きく、前記電気配線部材の液体供給穴の開口端が前記液体吐出基板の液体供給口の開口より外側にある請求項１に記載のインクジェット記録ヘッド。
【請求項３】
前記液体吐出基板と前記電気配線部材の間に、前記電気接続部を封止する封止剤が充填されている、請求項１又は２に記載のインクジェット記録ヘッド。
【請求項４】
前記電気配線部材と前記保持部材との間に接着剤が充填されており、前記電気配線部材の、前記保持部材の液体供給口内に突出した部分が前記接着剤によって支持されている、請求項１から３のいずれか１項に記載のインクジェット記録ヘッド。
【請求項５】
請求項１から４のいずれか１項に記載のインクジェット記録ヘッドと、
前記インクジェット記録ヘッドを記録媒体に対向して保持するヘッド保持部材と、を備えたインクジェット記録装置。
【発明の詳細な説明】
【技術分野】
【０００１】
本発明は、インク等の記録液を吐出して記録動作を行う記録装置に適用される記録ヘッドに関し、特に、この記録ヘッドに適用される液体吐出基板と配線基板との接続に関するものである。
【背景技術】
【０００２】
インクジェット記録装置に用いられるインクジェット記録ヘッドは、一般に、インク等の液滴を形成するためのインクジェット記録ヘッドと、このヘッドに対してインク等を供給する供給系とから構成される。
【０００３】
この記録ヘッドに適用される液体吐出基板に対する配線基板との接続に関して、吐出口のある面とは反対側の面に電気的な接続電極があるプリントヘッド基板で構成されたワイドアレイインクジェット装置が特許文献１に開示されている。図１８及び図１９に、特許文献１に記載されたワイドアレイインクジェットペン２１０を示す。図１８は、ワイドアレイプリントヘッドを有するワイドアレイインクジェットペンの斜視図である。図１９は、図１８のワイドアレイインクジェットプリントヘッドの電気接続部を示すプリントヘッドダイと支持基板２２０を含んだ一部分の断面図である。ペン２１０は、ワイドアレイプリントヘッド２１２及びペン本体２１４から構成されている。ペン本体２１４は、プリントヘッド２１２が取り付けられるハウジングである。ペン本体２１４には、ローカルなインク槽としての働きをする内部チャンバ２１６がある。また、図１８及び図１９を参照すると、プリントヘッド２１２は、支持基板２２０に装着された複数のプリントヘッド２１８を備えている。プリントヘッド２１８は、ノズル開口部２３８が形成された面の裏面側に電気的な接続を行うための電極２８４とインク供給口２４２が形成されており、プリントヘッド２１８を保持するための支持基板２２０は第一の表面２７０及び第二の表面２７２に電気配線が施されており第１の表面２７０側においてはんだバンプによりプリントヘッド２１８と電気的な接続を行い配置される。また論理回路（不図示）と駆動回路２３０は、基板２２０の第１の表面の反対側の第２の表面２７２に搭載される。
【特許文献１】特開平１１−１９２７０５号公報
【発明の開示】
【発明が解決しようとする課題】
【０００４】
上述したように液体吐出基板のノズル開口部のある面の裏面側にインク供給口が形成されており、その近傍に他部材との電気的な接続を行う接続電極を有し、電気配線が形成されている支持基板の表面と電気的な接続が行われるインクジェット記録ヘッドには、以下のような問題がある。
【０００５】
たとえば、図１９のインクジェット記録ヘッドにおいては、支持基板と液体吐出基板にそれぞれ形成されたインク供給口を互いに連通させなければならない。具体的にはインク供給口周囲に流体を確実に隔てる隔壁を形成して電気接続部へのインク浸入を完全に防止するとともに、外部へのインクリークも完全に防止する必要がある。
【０００６】
そのためには液体吐出基板のインク供給口と支持基板のインク供給口の開口寸法精度と位置精度が重要なポイントとなる。
【０００７】
特許文献１に開示されているヘッドにおいては、図１９に示すように支持基板２２０はハイブリッドマルチチップモジュールを形成する際に使用されるようなシリコンまたは多層セラミックやガラスエポキシからなるある程度の厚みを有した板状の部材で形成されている。
【０００８】
従って、加工性が悪いためにインク供給口２４２の開口位置の精度や開口寸法精度があまり高くないので液体吐出基板のインク供給口との相対位置にずれが生じやすく、特にインク供給口の流体隔壁に接着剤や封止剤を用いた場合には不具合が生じやすい。このような構成の場合、接着剤や封止剤の位置は支持基板のインク供給口端部の位置に大きく影響されるため支持基板のインク供給口の端面の位置が液体吐出基板のインク供給口の位置に重なると液体吐出基板のインク供給口の中に接着剤や封止剤が流れ込んでしまうといった問題が生じることがあった。また、インクジェットヘッドにおいてはコスト、大きさの観点からできる限り幅の狭い液体吐出基板を複数個、高密度で並べる必要性が高まっており、そのため液体吐出基板や支持基板のインク供給口も狭くかつ高密度で形成する必要があるが、図１９に開示されている支持基板ではある程度の厚みがあるため幅の狭いインク供給口を精度良く形成することが困難である。
【０００９】
本発明の目的は、上述の課題を解決した、信頼性の高い、小型で、安価なインクジェット記録ヘッドを提供することにある。さらには、その記録ヘッドを用いたインクジェット記録装置を提供することにある。
【課題を解決するための手段】
【００１０】
上記目的を達成するために、本発明のインクジェット記録ヘッドは、表面側に液体を吐出する吐出口を備え、裏面側に該吐出口から吐出させる液体を供給する液体供給口と前記吐出口から液体を吐出させるエネルギー発生手段を駆動する信号を授受する電極とを備えた液体吐出基板と、前記液体吐出基板の裏面に接合され、前記液体吐出基板の液体供給口に連通する液体供給穴と前記電極に接続された電気接続部とを有するフィルム状の電気配線部材と、前記電気配線部材を介して前記液体吐出基板を保持する部材であって前記液体吐出基板の液体供給口に液体を供給する液体供給口を有する保持部材と、を備えている。そして、前記電気配線部材の液体供給穴と前記液体吐出基板の液体供給口と前記保持部材の液体供給口が互いに連通しており、前記電気配線部材の液体供給穴が前記保持部材の液体供給口より小さく、前記電気配線部材の液体供給穴の開口端が前記保持部材の液体供給口の開口より内側にある。
【発明の効果】
【００１１】
本発明によれば、電気配線部材の液体供給穴が保持部材の液体供給口より小さいことにより、保持部材の液体供給口から液体吐出基板の液体供給口まで連通する開口の位置と寸法が、精度良く微細に加工できるフィルム状の電気配線部材の液体供給穴の開口寸法と位置で決めることができる。これにより、液体吐出基板と電気配線基板との間に封止剤を充填して電気接続部を封止するとともに、液体供給口周囲に液体が漏れないような流体隔壁を形成する際に、液体吐出基板の液体供給口の中に封止剤が流れ込まないようにすることが可能である。
【００１２】
従って、信頼性の高い高品位な印刷を行うことが可能なインクジェット記録ヘッド及び装置が提供できる。また、インクによる電気接続部ヘの影響がないためインク選択性が広くさまざまな記録システムに対応できる。さらに、電気配線部材として比較的安価なフレキシブル配線基板を用いることができるため、安価なインクジェット記録ヘッドを製造することが可能となる。
【発明を実施するための最良の形態】
【００１３】
以下に、本発明の実施の形態について図面を参照して説明する。
【００１４】
（第1の実施の形態）
図１は本発明の第1の実施の形態であるインクジェット記録ヘッド全体を示す外観斜視図であり、図２は図１に示したインクジェット記録ヘッドに使用される液体吐出基板の概略斜視図である。図３は図２に示したインクジェット記録ヘッドを部分的に拡大した斜視図である。
【００１５】
図４は図１におけるＡ−Ａ断面を表す模式図であり、電極近傍の断面図となっている。図５は図１におけるＢ−Ｂ断面を表す模式図であり、図６は図１におけるＣ−Ｃ断面を表す模式図である。
【００１６】
図１に示す記録ヘッドH1001は、インクジェット記録装置本体に載置されているキャリッジ（不図示）の位置決め手段及び電気的接点によって固定支持される。インクタンク（不図示）は記録ヘッドH1001に対して着脱自在であり、インクタンクが交換可能となっていることにより、インクジェット記録装置における記録のランニングコストが低減される。
【００１７】
記録ヘッドH1001の液体吐出基板Ｈ1100は図２、図３に示すように記録液（例えばインク）を吐出するための吐出口Ｈ1107が開口しており、吐出口Ｈ1107が複数列をなすことで、吐出口列Ｈ1108を形成している。吐出口列Ｈ1108の裏面側には記録液を供給するための液体供給口Ｈ1102が、吐出口列Ｈ1108の長さとほぼ等しい長さで開口している。液体供給口Ｈ1102からの記録液は発泡室Ｈ1109に入り、ヒータなどの電気熱変換素子Ｈ1103によって記録液が発泡し、吐出口Ｈ1107から記録液の吐出が行われることとなる。また、液体吐出基板の端部には電気的な信号を送るための複数の電極Ｈ1104が形成されている。電極Ｈ1104からは、図４に示すように液体吐出基板Ｈ1100を貫通する貫通配線Ｈ1122が設けられ、液体吐出基板の裏面側に形成される裏面電極Ｈ1124へと配線がつながっている。
【００１８】
また、図４、図５に示すように、液体吐出基板H1100の端部には、電気信号を送るための電極等が形成されている。液体吐出基板H1100には、レーザーやエッチング等で形成された貫通スルホールH1120が開いていて、液体吐出基板H1100の表面の電気配線を裏面電極H1124につなげる貫通配線H1122が形成されている。
【００１９】
液体吐出基板H1100の下には、フィルム状の配線部材として本実施形態ではフレキシブル配線基板H1300が配置されている。フレキシブル配線基板H1300の配線層H1305により形成された電極端子H1302上に、バンプH1105が形成されている。さらにバンプH1105と液体吐出基板H1100の裏面電極H1124とが接合することで、電気的接続がなされ、記録液を吐出するのに必要な電力や電気的信号が、フレキシブル配線基板H1300から液体吐出基板H1100へ供給される。電気接合部は、封止剤（あるいは接着剤）H1311により封止されており、電気接合部を、記録液による腐食や、耐衝撃などから保護している。
【００２０】
フレキシブル配線基板H1300の下には保持部材H1200が設けられていて、保持部材H1200とフレキシブル配線基板H1300とは接着剤H1310により接合されている。
【００２１】
図６に示すように、保持部材H1200には液体供給口H1201が、フレキシブル配線基板H1300には液体供給穴H1301が形成されている。保持部材H1200の液体供給口H1201と、フレキシブル配線基板H1300の液体供給穴H1301と、液体吐出基板H1100の液体供給口H1102とが互いに中心線を一致させて連通することで、液体供給部材H1500から供給された記録液が、液体吐出基板H1100まで供給されることとなる。図６に示すバンプH1105は電気的な信号を送るのに用いても良いが、液体吐出基板H1100が吐出により発生する熱をフレキシブル配線基板H1300を通して、保持部材H1200へと逃がす放熱目的で使用しても良い。
【００２２】
バンプＨ1105等による電気接合部は封止剤（あるいは接着剤）Ｈ1311により封止されており、液体供給口からの記録液と完全に隔絶されている。また、液体吐出基板Ｈ1100の液体供給口Ｈ1102の周囲は封止剤Ｈ1311により、完全に密閉されており、液体吐出基板の外部と隔絶されていて、記録液の外部への不要なリークを防止している。
【００２３】
本実施形態では、液体吐出基板Ｈ1100と接合する部材がフレキシブル配線基板Ｈ1300である。従って、液体吐出基板Ｈ1100の液体供給口Ｈ1102に対応するフレキシブル配線基板Ｈ1300の液体供給穴Ｈ1301の開口寸法や位置が精度よくかつ微細に形成することができるため、液体吐出基板Ｈ1100とフレキシブル配線基板Ｈ1300とを電気的に接続した際に、液体吐出基板Ｈ1100の液体供給口Ｈ1102とフレキシブル配線基板Ｈ1300の液体供給穴Ｈ1301の部品精度による位置ズレが発生しにくい。その結果、液体吐出基板Ｈ1100への液体供給がスムーズに行われる。さらに、電気接続部を確実に封止して液体供給口から電気接続部への液体の浸入を防止するために液体吐出基板Ｈ1100とフレキシブル配線基板Ｈ1300の間に接着剤または封止剤Ｈ1311を充填した際、上記のように液体供給穴Ｈ1301の開口寸法や位置が精度よく形成されているので、液体吐出基板Ｈ1100の液体供給口Ｈ1102への接着剤または封止剤の浸入を防止することができる。
【００２４】
そして、図７の（Ａ）及び（Ｂ）に示すように、液体吐出基板Ｈ1100の液体供給口Ｈ1102に対してフレキシブル配線基板Ｈ1300の液体供給口Ｈ1301を大きくし、さらに保持部材Ｈ1200の液体供給口Ｈ1201をフレキシブル配線基板Ｈ1300の液体供給穴Ｈ1301よりも大きくしてある。たとえば、液体吐出基板Ｈ1100における長方形の液体供給口Ｈ1102のサイズを0.1ｍｍ×26ｍｍとすると、フレキシブル配線基板Ｈ1300における長方形の液体供給穴Ｈ1301のサイズは0.2ｍｍ×26.5ｍｍで、保持部材Ｈ1200における長方形の液体供給口Ｈ1201のサイズは0.4ｍｍ×27ｍｍとした。
【００２５】
従って、フレキシブル配線基板Ｈ1300の液体供給穴Ｈ1301の端部が保持部材Ｈ1200の液体供給口Ｈ1201の内側に突出するとともに、液体吐出基板の液体供給口の位置には達しない。このため、精度良く形成することができるフレキシブル配線基板Ｈ1300の液体供給穴Ｈ1301の端部の位置で、液体吐出基板Ｈ1100とフレキシブル配線基板Ｈ1300の間に充填された接着剤または封止剤Ｈ1311の位置を決めることができる。
【００２６】
そして、フレキシブル配線基板Ｈ1300の液体供給穴Ｈ1301の端部で液体吐出基板へ供給する液体供給口を設定できるため、保持部材Ｈ1200の液体供給口Ｈ1201の大きさを比較的大きく形成できる。このため保持部材をアルミナ等のセラミックで形成した際にも比較的容易に液体供給口が形成でき、液体吐出基板Ｈ1100への液体の流抵抗も問題とならない。また、保持部材Ｈ1200は1ｍｍから4ｍｍ程度の厚みを有するため、保持部材Ｈ1200に形成された液体供給口Ｈ1201の開口幅が狭いと供給口内に泡がたまったり流抵抗が増加し吐出に悪影響を与えたりする恐れがあるが、本実施形態においては保持部材Ｈ1200の液体供給口幅をフレキシブル配線基板Ｈ1300の液体供給穴Ｈ1301の幅より大きくすることができるため液体供給口の流抵抗を低減することができ、しかも液体供給口内の泡だまりを防止することができる。
【００２７】
これまで説明してきたすべての構成において接着剤または封止剤の塗布,充填は液体吐出基板Ｈ1100とフレキシブル配線部材Ｈ1300の電気的な接続を行う前でも後でもどちらでもよい。
【００２８】
また本実施形態では液体吐出基板H1100の裏面電極H1124とフレキシブル配線基板H1300の電極端子H1302との接合は、金バンプのような金属バンプによる接合の形態を示しているが、導電性接着剤による接合や熱硬化性接着剤により電極同士を互いに圧接する方法を用いても良い。また熱硬化性接着剤が導電粒子を含んでいても構わない。
【００２９】
なお、本実施形態では、１個の記録ヘッド当たり、１個の液体吐出基板が搭載される構成であり、液体吐出基板の吐出口列は１組である。そのため、記録ヘッド１個では単色の記録しかできないが、記録ヘッドを複数個用いることで、多色記録が可能となる。
【００３０】
（第2の実施の形態）
次に、本発明の第2の実施の形態について説明するが、ここでは第1の実施の形態に対して異なる点を主に説明する。
【００３１】
図８は本発明の第2の実施の形態を表した図で、同図（Ａ）は図１におけるＢ−Ｂ断面を表す模式図であり、同図（Ｂ）は図１におけるＣ−Ｃ断面を表す模式図である。図９は本実施形態の変形例で、図１におけるＣ−Ｃ断面を表す模式図である。
【００３２】
本実施形態は、保持部材Ｈ1200の液体供給口1201に突出したフレキシブル配線基板Ｈ1300の裏面部分をフレキシブル配線基板Ｈ1300と保持部材Ｈ1200の接着の際に接着剤Ｈ1310をはみださせ接着剤Ｈ1310により支持した構成である。
【００３３】
この構成により、フレキシブル配線基板Ｈ1300で蓋をされた保持部材Ｈ1200の液体供給口Ｈ1201の周辺部が接着剤で埋まるため、この部分の機械的強度が上がり液体吐出基板Ｈ1100の裏面電極（不図示）とフレキシブル配線基板Ｈ1300の配線層Ｈ1305の電極端子（不図示）との接続信頼性が上がるとともに、液体供給口内の液体の流れがスムーズになり、泡溜まり等も防止でき記録信頼性が向上する。
【００３４】
ここではフレキシブル配線基板Ｈ1300と保持部材Ｈ1200の間に充填する接着剤を液体供給口Ｈ1201内にはみ出させる構成を説明したが、フレキシブル配線基板Ｈ1300を保持部材Ｈ1200に接着固定した後に、フレキシブル配線部材Ｈ1300の裏面と保持部材Ｈ1200の液体供給口Ｈ1201の開口端とで形成される角部に別の接着剤を塗布しても良い。
【００３５】
また、フレキシブル配線部材Ｈ1300は保持部材Ｈ1200に接着剤Ｈ1310により接着固定されるが、本発明のヘッド構成においてはフレキシブル配線基板Ｈ1300の配線層Ｈ1305の電極端子（不図示）と液体吐出基板Ｈ1100の裏面電極（不図示）との接合を行うためにフレキシブル配線基板Ｈ1300の電極端子の下部は特に強固に接着固定する必要がある。
【００３６】
しかしながら、フレキシブル配線基板Ｈ1300の電極端子は液体供給穴Ｈ1301の近傍に配置されている場合もあり、フレキシブル配線基板Ｈ1300の、保持部材Ｈ1200の液体供給口Ｈ1201の内側部分に突出した部分で電気接続を行わなければならない場合が生じる。
【００３７】
そこで本実施形態では図９に示すように保持部材Ｈ1200の液体供給口Ｈ1201に突出したフレキシブル配線基板Ｈ1300の電気接続部を接着剤で支持する構成とした。
【００３８】
この接着剤で支持する部分はフレキシブル配線基板Ｈ1300を保持部材Ｈ1200に接着する接着剤Ｈ1310をはみ出させて形成しても良いし、フレキシブル配線基板Ｈ1300を保持部材Ｈ1200に接着固定した後に接着剤を塗布して形成してもよい。この場合はフレキシブル配線基板Ｈ1300を接着固定する接着剤と別の種類の接着剤を使用しても構わない。
【００３９】
以上の構成によると、液体吐出基板Ｈ1100とフレキシブル配線基板Ｈ1300の間に充填された接着剤または封止剤により電気接続部を確実に封止し液体供給口からの液体の浸入を防止するために接着剤または封止剤を十分に塗布または充填してフレキシブル配線基板Ｈ1300の液体供給口Ｈ1301の内側にたとえはみ出したとしても、液体吐出基板Ｈ1100の液体供給口1105とはある程度の距離を有しているため、液体吐出基板Ｈ1100の液体供給口Ｈ1102への接着剤または封止剤の浸入を防止することができる。さらに、保持部材Ｈ1200の液体供給口Ｈ1201に突出したフレキシブル配線基板Ｈ1300の部分に電気接続部が形成されていても確実に電気接続が可能となる。
【００４０】
従って、上述の構成により、電気接続及びインク供給の信頼性が高い、安価なヘッドを提供できる。
【００４１】
（第3の実施の形態）
次に、本発明の第3の実施の形態について説明するが、ここでは第1の実施の形態に対して異なる点を主に説明する。
【００４２】
図１０は、本発明の第３の実施の形態であるインクジェット記録ヘッド全体を示す概略斜視図であり、液体吐出基板の表面側から見た図である。また、図１１は裏面側から見た図である。図１２は、本実施形態のインクジェット記録ヘッドの分解斜視図であり、図１３は、図１０におけるＡ−Ａ断面を表した模式図である。
【００４３】
本実施形態は、第1の実施の形態と比較して、１個の記録ヘッド当たり、複数個の液体吐出基板が搭載される構成であり、１個の記録ヘッドで多色記録が可能である。そのため、記録ヘッドをコンパクトに構成可能であり、また、部材を一体化して構成することで、部品コストの低減、製造コストの低減が図れるため、安価な記録ヘッドを構成できる。
【００４４】
記録ヘッドH1001は、第1の実施の形態と同様に、インクジェット記録装置本体に載置されているキャリッジ（不図示）の位置決め手段及び電気的接点によって固定支持され、インクタンク（不図示）は記録ヘッドH1001に対して着脱自在であり、インクタンクが交換可能となっているのであるが、多色記録のために、複数個のインクタンクを１個の記録ヘッドに搭載する構成となる。本実施形態では、５個のインクタンクを搭載している。
【００４５】
記録ヘッドH1001は図１２の分解斜視図に示すような部品構成となっている。
【００４６】
記録ヘッドＨ1001は、複数個の液体吐出基板Ｈ1100、フレキシブル配線基板Ｈ1300、保持部材Ｈ1200、第１の液体供給部材Ｈ1500、第２の液体供給部材Ｈ1600、シールゴムＨ1800、フィルターＨ1700から構成されている。
【００４７】
液体吐出基板Ｈ1100は、第1の実施の形態の図２、３で説明したものと同様のものであり、これがフレキシブル配線基板Ｈ1300上に複数個搭載される。フレキシブル配線基板Ｈ1300には、各液体吐出基板Ｈ1100に対応した液体供給穴Ｈ1301が形成されており、保持部材Ｈ1200にも同様に液体供給口Ｈ1201が形成されていて、保持部材Ｈ1200と接合される第１の液体供給部材Ｈ1500にも液体供給口Ｈ1502が形成されている。これにより、それぞれの部材の液体供給口が接合され連通することで、インクタンク（不図示）から供給される記録液が、フィルターＨ1700を介して、第２の液体供給部材Ｈ1600に入り、液体流路Ｈ1601を通って、液体供給口Ｈ1502に入り、さらに、保持部材Ｈ1200の液体供給口Ｈ1201、フレキシブル配線基板のＨ1301の液体供給穴Ｈ1301、液体吐出基板の液体供給口Ｈ1102と順に通り、記録液の供給が完了する。
【００４８】
フレキシブル配線基板Ｈ1300には、外部信号入力端子Ｈ1303が設けられており、不図示のキャリッジに接続され、不図示のインクジェット記録装置からの電気信号を、液体吐出基板Ｈ1100へと伝達する。
【００４９】
図１３の断面図に示すとおり、本実施形態の断面構成は、基本的には第1の実施の形態と同様であるが、液体吐出基板Ｈ1100が複数個になっている分、それに対応した部品形状になっている。
【００５０】
電気接合部も封止剤（あるいは接着剤）H1311により封止されており液体供給口からの記録液と完全に隔絶されていて、液体吐出基板H1100の液体供給口H1102の周囲も封止剤H1311により、完全に密閉されており、液体吐出基板の外部と隔絶されていて、記録液の外部への不要なリークを防止している。また、液体吐出基板間でのリークは混色を発生してしまうため、この部分の封止、接着も精度よく行われる必要がある。
【００５１】
本実施形態では、複数の液体吐出基板を単一の保持部材及びフレキシブル配線基板に搭載する際に、位置精度良く搭載する必要がある。特に高品位の記録を行うためには、各液体吐出基板間の相対位置精度が保たれるよう高精度に搭載する必要がある。
【００５２】
本実施形態では、ブラック用の液体吐出基板のみが、他の液体吐出基板から離れて配置されている。これにより、例えば反応系のインク（ブラックとカラーインクとで反応させる）等を用いる場合に適した構成となっている。
【００５３】
上述した構成により、第1の実施の形態による記録ヘッドの効果に加え、さらに高品位な記録が行え、コンパクトで、安価な記録ヘッドを構成できる。
【００５４】
（第4の実施の形態）
次に、第4の実施の形態について説明するが、ここでは第1の実施の形態と異なる点を主に説明する。
【００５５】
図１４は本発明の第4の実施の形態であるインクジェット記録ヘッドの分解斜視図であり、図１５は図１４に示したインクジェット記録ヘッドに使用される液体吐出基板の一部を示す概略斜視図である。図１６は、記録ヘッドの液体吐出基板近傍の一部断面を表した模式図である。
【００５６】
本実施形態の記録ヘッドは、基本的な構成は第2の実施の形態と同様であり、１個の記録ヘッドで多色記録が可能であるが、搭載される液体吐出基板の構成が異なる。
【００５７】
液体吐出基板としては、ブラック用には液体吐出基板H1100が用いられ、これは第1、第2の実施の形態と同様のものであるが、カラー用には一体型の液体吐出基板H1101が用いられている。
【００５８】
図１５は一体型の液体吐出基板H1101を示すものであり、記録液（インク）を吐出するための吐出口H1107が開口しており、吐出口H1107が列をなすことで、吐出口列H1108を形成している。吐出口列H1108の裏面側には記録液を供給するための液体供給口H1102が、吐出口列H1108の長さとほぼ等しい長さで開口しており、液体供給口H1102は、記録液の種類分形成されている。本図では、液体供給口H1102及び吐出口列H1108が３組分形成されており、カラーのシアン用、マゼンタ用、イエロー用のインクに対応している。液体供給口、吐出口列を増やすことで、さらに多種類の記録液を用いた記録が可能となる。
【００５９】
液体供給口Ｈ1102からの記録液は発泡室Ｈ1109に入り、電気熱変換素子Ｈ1103によって、記録液が発泡し、吐出口Ｈ1107から記録液の吐出が行われることとなる。また、液体吐出基板の端部には電気的な信号を送るための複数の電極Ｈ1104が形成されている。電極Ｈ1104からは、液体吐出基板を貫通する不図示の貫通配線が設けられ、液体吐出基板の裏面側に形成される裏面電極H1124へと配線がつながっている。
【００６０】
上述の一体型の液体吐出基板H1101を用いた場合の記録ヘッドの断面は図１５のようになる。
【００６１】
本実施形態のように、カラー用の液体吐出基板を一体化することで、各色の吐出口列が１つの液体吐出基板内に半導体工程で作りこまれるため、各色の吐出口列の相対位置は高精度に配置され、高品位な記録が可能である。また、高精度な位置合わせが不要となるため、製造工程での歩留まりが向上する。
【００６２】
また、液体吐出基板内で配線をまとめることができるため、電極数を減らすことができ、比較的低密度に裏面電極を配置することができる。したがって、電気接続工程での歩留まりを向上させ、引いては安価な記録ヘッドを構成することが可能となる。
【００６３】
（第5の実施の形態）
次に、本発明の第5の実施の形態として、上述したような記録ヘッドを搭載可能な液体吐出記録装置について説明する。図１７は、本発明のインクジェット記録ヘッドを搭載可能な記録装置の一例を示す説明図である。
【００６４】
図１７に示す記録装置において、図１または図１０に示した記録ヘッドＨ1001がキャリッジ１０２に位置決めして交換可能に搭載されており、キャリッジ１０２には、記録ヘッドＨ1001上の電気接続部を介して各吐出口列に駆動信号等を伝達するための電気接続部（不図示）が設けられている。
【００６５】
キャリッジ１０２は、主走査方向に延在して装置本体に設置されたガイドシャフト１０３に沿って往復移動可能に案内支持されている。そして、キャリッジ１０２は主走査モータ１０４によりモータプーリ１０５、従動プーリ１０６及びタイミングベルト１０７等の駆動機構を介して駆動されるとともにその位置及び移動が制御される。また、ホームポジションセンサ１３０がキャリッジ１０２に設けられている。これにより遮蔽板１３６の位置をキャリッジ１０２上のホームポジションセンサ１３０が通過した際に位置を知ることが可能となる。
【００６６】
ホームポジションセンサ１３０が遮蔽板１３６を検知するキャリッジの位置（ホームポジション）には、記録ヘッドＨ1001のインク吐出口が形成された前面を塞ぐキャップ１３７が配置され、キャップ１３７は不図示の吸引手段によりキャップ内開口を介して記録ヘッドのインク吸引回復を行うために用いられる。キャップ１３７はギア等を介して伝達される駆動力により移動してインク吐出口面を覆うことができる。キャップ１３７の近傍にはクリーニングブレード１３８が設けられている。これらのキャッピング、クリーニング、吸引回復は、キャリッジ１０２がホームポジションに移動したときに、記録ヘッドのインク吐出口面に対して行えるように構成されている。
【００６７】
記録用紙やプラスチック薄板等の記録媒体１０８は給紙モータ１３５からギアを介してピックアップローラ１３１を回転させることによりオートシートフィーダ（以後ＡＳＦ）１３２から一枚ずつ分離給紙される。更に搬送ローラ１０９の回転により、ヘッドカートリッジ１の吐出口面と対向する位置（プリント部）を通って搬送（副走査）される。搬送ローラ１０９はＬＦモータ１３４の回転によりギアを介して行われる。その際、給紙されたかどうかの判定と給紙時の頭出し位置の確定は、ペーパエンドセンサ１３３を記録媒体１０８が通過した時点で行われる。さらに、記録媒体１０８の後端が実際にどこに有り、実際の後端から現在の記録位置を最終的に割り出すためにもペーパエンドセンサ１３３は使用されている。
【００６８】
なお、記録媒体８は、プリント部において平坦なプリント面を形成するように、その裏面をプラテン（不図示）により支持されている。この場合、キャリッジ１０２に搭載されたヘッドカートリッジ１は、それらの吐出口面がキャリッジ１０２から下方へ突出して前記２組の搬送ローラ対の間で記録媒体１０８と平行になるように保持されている。
【００６９】
記録ヘッドＨ1001は、各吐出口列における吐出口の並び方向が上述したキャリッジ１０２の走査方向に対して交差する方向になるようにキャリッジ１０２に搭載され、これらの吐出口列から液体を吐出して記録を行う。
【００７０】
上述の実施形態では、熱エネルギーを利用してインクを吐出するために、熱エネルギーを発生する電気熱変換素子を備えていたが、もちろん本発明は、振動素子によってインクを吐出する等、その他の吐出方式を適用したものであってもよい。
【００７１】
なお、本発明は、一般的なプリント装置のほか、複写機、通信システムを有するファクシミリ、プリント部を有するワードプロセッサ等の装置、さらには、各種処理装置と複合的に組み合わされた産業用記録装置に適用することができる。
【図面の簡単な説明】
【００７２】
【図１】本発明の第１の実施の形態であるインクジェット記録ヘッド全体を示す外観斜視図である。
【図２】図１に示したインクジェット記録ヘッドに使用される液体吐出基板の概略斜視図である。
【図３】図２に示したインクジェット記録ヘッドを部分的に拡大した斜視図である。
【図４】図１におけるＡ−Ａ断面を表す模式図であり、電極近傍の断面図となっている。
【図５】図１におけるＢ−Ｂ断面を表す模式図である。
【図６】図１におけるＣ−Ｃ断面を表す模式図である。
【図７】（Ａ）は、図１におけるＢ−Ｂ断面図で、（Ｂ）は、図１におけるＣ−Ｃ断面図である。
【図８】本発明の第２の実施の形態を表した図であり、（Ａ）は図１におけるＢ−Ｂ断面を表す模式図で、（Ｂ）は図１におけるＣ−Ｃ断面を表す模式図である。
【図９】本発明の第２の実施の形態の変形例を表した図で、図１におけるＣ−Ｃ断面を表す模式図である。
【図１０】本発明の第３の実施の形態であるインクジェット記録ヘッド全体を示す概略斜視図であり、液体吐出基板の表面側から見た図である。
【図１１】図１０の記録ヘッドを裏面側から見た斜視図である。
【図１２】本発明の第３の実施の形態であるインクジェット記録ヘッドの分解斜視図である。
【図１３】図１０におけるＡ−Ａ断面を表した模式図である。
【図１４】本発明の第４の実施の形態であるインクジェット記録ヘッドの分解斜視図である。
【図１５】図１４に示したインクジェット記録ヘッドに使用される液体吐出基板の一部を示す概略斜視図である。
【図１６】図１４のインクジェット記録ヘッドの液体吐出基板近傍の一部断面を表した模式図である。
【図１７】本発明のインクジェット記録ヘッドを搭載可能な記録装置の一例を示す説明図である。
【図１８】従来例としてのプリントヘッドを有するワイドアレイインクジェットペンの斜視図である。
【図１９】図１８のワイドアレイインクジェットプリントヘッドの電気接続部を示すプリントヘッドダイと支持基板を含んだ一部分の断面図である。
【符号の説明】
【００７３】
Ｈ1001    記録ヘッド
Ｈ1100    液体吐出基板
Ｈ1102    液体供給口
Ｈ1105    バンプ
Ｈ1122    貫通配線
Ｈ1124    裏面電極
Ｈ1200    保持部材
Ｈ1201    液体供給口
Ｈ1300    フレキシブル配線基板
Ｈ1301    液体供給穴
Ｈ1304    ベースフィルム
Ｈ1305    配線層
Ｈ1310    接着剤
Ｈ1311    封止剤
【図１】
2006056244.tif 000003
【図２】
2006056244.tif 000004
【図３】
2006056244.tif 000005
【図４】
2006056244.tif 000006
【図５】
2006056244.tif 000007
【図６】
2006056244.tif 000008
【図７】
2006056244.tif 000009
【図８】
2006056244.tif 000010
【図９】
2006056244.tif 000011
【図１０】
2006056244.tif 000012
【図１１】
2006056244.tif 000013
【図１２】
2006056244.tif 000014
【図１３】
2006056244.tif 000015
【図１４】
2006056244.tif 000016
【図１５】
2006056244.tif 000017
【図１６】
2006056244.tif 000018
【図１７】
2006056244.tif 000019
【図１８】
2006056244.tif 000020
【図１９】
2006056244.tif 000021